(57)【要約】【課題】手元で調光操作を行えるようにした調光機能付スイッチを提供する。【解決手段】調光機能付スイッチはスイッチ本体とワイヤレスリモコン３とを備える。スイッチ本体の前面にはピアノハンドル２が取着され、ピアノハンドル２を押操作すると内部に収納した押釦スイッチがオン／オフされ、負荷であるランプを点灯又は消灯させる。ワイヤレスリモコン３は、ピアノハンドル２の前面に着脱自在に装着され、背面に調光レベルを増減するための操作凸部３２ｂ，３２ｃを含む複数の操作部が設けられ、操作凸部３２ａ，３２ｂの操作に応じて調光信号をワイヤレス信号で送信させる。一方、スイッチ本体には、ピアノハンドル２前面の受光カバー２４を透してワイヤレス信号を受信する信号受信部が設けられており、ワイヤレス信号で送信された調光信号を受信すると、ランプの調光レベルを変化させる。【選択図】図１
2006179350.tif 000002
【特許請求の範囲】
【請求項１】
押操作に応じて操作信号を発生する押釦スイッチの押釦、および、外部から送信された赤外線のような光信号よりなるワイヤレス信号を受信する信号受信部が前面側に設けられ、少なくとも前面を室内側に露出させた状態で造営材に固定されるスイッチ本体と、
該スイッチ本体の内部に収納され、前記操作信号および前記信号受信部の受信信号をもとにランプの点灯出力を制御する制御回路部と、
前記スイッチ本体の前面に揺動自在に取り付けられてピアノタッチ操作で前記押釦を押圧するピアノハンドルと、
手で把持可能な大きさに形成されて前記ピアノハンドルの前面に着脱自在に取り付けられるリモコン本体とを備え、
前記リモコン本体は、前記ピアノハンドルとの対向面に設けられた調光操作釦と、該調光操作釦の操作に応じた調光信号をワイヤレス信号で送信する信号送信部とを有し、
前記信号受信部が前記リモコン本体からワイヤレス信号で送信された調光信号を受信すると、前記制御回路部が前記調光信号をもとにランプの調光レベルを変化させることを特徴とする調光機能付スイッチ。
【請求項２】
前記リモコン本体における前記ピアノハンドルとの対向面にランプをオン／オフさせるオン／オフ操作釦を設け、該オン／オフ操作釦が操作されると、前記信号送信部がオン／オフ信号をワイヤレス信号で送信しており、前記制御回路部は、前記押釦スイッチからの前記操作信号が消灯時に入力されると前記ランプを全点灯させ、点灯時に入力されると前記ランプを消灯させるとともに、前記信号受信部に前記オン／オフ信号が消灯時において入力されると前回調光信号で調整された調光レベルで前記ランプを点灯させ、点灯時において入力されると前記ランプを消灯させることを特徴とする請求項１記載の調光機能付スイッチ。
【請求項３】
前記制御回路部は、前記信号受信部に前記オン／オフ信号が入力された場合は前記ランプの光出力を目標値まで所定のフェード時間内で徐々に変化させ、前記押釦スイッチから前記操作信号が入力された場合は前記ランプの光出力を目標値まで瞬時に変化させることを特徴とする請求項２記載の調光機能付スイッチ。
【請求項４】
前記スイッチ本体に、前記リモコン本体が前記ピアノハンドルに取り付けられているか否かを検知するリモコン装着検知手段を設け、前記リモコン装着検知手段がリモコン本体の取付状態を検知している場合、前記制御回路部は、前記押釦スイッチから前記操作信号が入力されると、前記ランプを全点灯させるか又は消灯させ、前記リモコン装着検知手段がリモコン本体の取外し状態を検知している場合、前記制御回路部は、前記押釦スイッチから前記操作信号が入力されると、前記ランプを前回調光信号で調整された調光レベルで点灯させるか又は消灯させることを特徴とする請求項１記載の調光機能付スイッチ。
【請求項５】
前記制御回路部に前記押釦スイッチの操作信号が所定時間内に複数回入力されると、前記制御回路部は、前回調光信号で調整された調光レベルで前記ランプを調光点灯させることを特徴とする請求項１記載の調光機能付スイッチ。
【請求項６】
前記スイッチ本体の前面に、調光操作のための調光釦を設け、前記制御回路部が、前記調光釦の操作に応じて前記ランプの調光レベルを変化させることを特徴とする請求項１〜５の何れか１つに記載の調光機能付スイッチ。
【請求項７】
前記押釦スイッチの操作信号が前記制御回路部に所定の連続押し時間以上連続して入力されると、前記制御回路部は、操作信号が入力されている間、前記ランプの調光レベルを上限値と下限値の間で繰り返し増減させることを特徴とする請求項１〜５の何れか１つに記載の調光機能付スイッチ。
【請求項８】
前記スイッチ本体に調光レベルの下限値を設定する下限値設定手段を設け、前記制御回路部は、前記下限値設定手段で設定された下限値よりも明るい範囲で調光レベルを変化させることを特徴とする請求項１〜７の何れか１つに記載の調光機能付スイッチ。
【請求項９】
前記スイッチ本体に調光レベルを記憶する記憶手段を設けるとともに、前記リモコン本体における前記ピアノハンドルとの対向面に所望の調光レベルの登録／再生用の調光レベル録再釦を設け、前記信号送信部は、前記調光レベル録再釦が押されるとレベル録再信号をワイヤレス信号で送信しており、
前記制御回路部は、前記信号受信部が前記レベル録再信号を一定時間以上連続して受信すると、現在の調光レベルを前記記憶手段に記憶させるとともに、前記信号受信部が前記レベル録再信号を一定時間よりも短い時間だけ受信すると、前記記憶手段に記憶された調光レベルで前記ランプを調光点灯させることを特徴とする請求項１〜８の何れか１つに記載の調光機能付スイッチ。
【請求項１０】
前記ランプの調光制御に関わる設定を行う外部設定器よりワイヤレス信号で送信された設定信号を前記信号受信部が受信すると、前記制御回路部は、前記信号受信部の受信した設定信号を記憶手段に記憶させるとともに、前記記憶手段に記憶された設定信号にしたがって調光制御を行うことを特徴とする請求項１〜９の何れか１つに記載の調光機能付スイッチ。
【請求項１１】
前記リモコン本体に、前記ピアノハンドルから取り外されると検知信号を発生する取外し検知手段、及び、前記検知手段から前記検知信号が所定の検知時間以上連続して出力されると報知音又は光の少なくとも何れか一方を発する報知手段を設けたことを特徴とする請求項１〜１０の何れか１つに記載の調光機能付スイッチ。
【請求項１２】
前記リモコン本体に、外部からワイヤレス信号により送信された報知命令を受信する報知命令受信部と、該報知命令受信部が報知命令を受信すると報知音又は光の少なくとも何れか一方を発する報知手段とを設けるとともに、前記スイッチ本体にワイヤレス信号により報知命令を送信する報知命令送信部を設け、前記ピアノハンドルが所定の操作時間以上連続して押し続けられ、前記押釦スイッチからの操作信号が前記制御回路部に前記操作時間以上連続して入力されると、前記制御回路部が前記報知命令送信部から報知命令を送信させることを特徴とする請求項１〜１０の何れか１つに記載の調光機能付スイッチ。
【請求項１３】
前記リモコン本体は、扁平な直方体状に形成され、前記ピアノハンドルとの対向面に前記調光操作釦と前記オン／オフ操作釦とを含む複数の操作釦が設けられており、前記リモコン本体の長手方向一端部に前記信号送信手段を配置するとともに、前記複数の操作釦の内で前記オン／オフ操作釦を前記一端部に最も近い位置に配置したことを特徴とする請求項２又は３記載の調光機能付スイッチ。
【請求項１４】
前記リモコン本体における前記ピアノハンドルとの対向面と、この対向面と反対側の面とに、蓄光材料により形成された発光表示部を設けたことを特徴とする請求項１〜１３の何れか１つに記載の調光機能付スイッチ。
【請求項１５】
前記リモコン本体における前記ピアノハンドルとの対向面には、前記調光操作釦を少なくとも含む１乃至複数の操作釦が設けられ、該操作釦の押操作部分に蓄光材料により形成された発光表示部を設けたことを特徴とする請求項１〜１４の何れか１つに記載の調光機能付スイッチ。
【請求項１６】
前記スイッチ本体に、電力伝達用の１次コイルを具備した電力供給部を設けるとともに、前記リモコン本体に、前記信号送信部を含む回路部の動作電源を供給する二次電池と、前記リモコン本体を前記ピアノハンドルに取り付けた状態で前記１次コイルに磁気結合される２次コイルと、前記電力供給部から前記１次コイルおよび前記２次コイルを介して電磁誘導により電力供給されて、前記２次電池を充電する充電回路とを設けたことを特徴とする請求項１〜１５の何れか１つに記載の調光機能付スイッチ。
【発明の詳細な説明】
【技術分野】
【０００１】
本発明は、調光機能付スイッチに関するものである。
【背景技術】
【０００２】
従来より、図１８に示すように取付枠４を用いて壁材に埋込配設される器体８１の前面に回転ダイヤル８２を備え、回転ダイヤル８２の回転操作に応じて白熱灯（図示せず）に供給する交流電圧の位相角を変化させて、白熱灯を調光点灯させる調光機能付スイッチ８０が提供されている（例えば特許文献１参照）。尚、図１８中の８３は調光機能付スイッチ８０とともに取付枠４に並設されたスイッチであり、このスイッチ８３のオン／オフ操作に応じて白熱灯への電源供給がオン／オフされる。
【特許文献１】特開２００２−７５７１１号公報
【発明の開示】
【発明が解決しようとする課題】
【０００３】
上記構成の調光機能付スイッチ８０は壁材に埋込配設されているため、調光レベルを変化させる場合は、調光機能付スイッチ８０の配設されている壁まで行って、調光操作を行わねばならなかった。しかしながら、一般的に調光機能付スイッチ８０はテレビの鑑賞時や就寝時に部屋を暗くするというような使われ方をするので、ユーザが今いる場所（テレビの前やベッドなど）で調光操作を行いたいという要望があり、従来の調光機能付スイッチ８０では使い勝手が悪いという問題があった。
【０００４】
本発明は上記問題点に鑑みて為されたものであり、その目的とするところは、手元で調光操作を行えるようにした調光機能付スイッチを提供することにある。
【課題を解決するための手段】
【０００５】
上記目的を達成するために、請求項１の発明は、押操作に応じて操作信号を発生する押釦スイッチの押釦、および、外部から送信された赤外線のような光信号よりなるワイヤレス信号を受信する信号受信部が前面側に設けられ、少なくとも前面を室内側に露出させた状態で造営材に固定されるスイッチ本体と、該スイッチ本体の内部に収納され、操作信号および信号受信部の受信信号をもとにランプの点灯出力を制御する制御回路部と、スイッチ本体の前面に揺動自在に取り付けられてピアノタッチ操作で押釦を押圧するピアノハンドルと、手で把持可能な大きさに形成されてピアノハンドルの前面に着脱自在に取り付けられるリモコン本体とを備え、リモコン本体は、ピアノハンドルとの対向面に設けられた調光操作釦と、該調光操作釦の操作に応じた調光信号をワイヤレス信号で送信する信号送信部とを有し、信号受信部がリモコン本体からワイヤレス信号で送信された調光信号を受信すると、制御回路部が調光信号をもとにランプの調光レベルを変化させることを特徴とする。
【０００６】
この発明によれば、造営材に固定されたスイッチ本体の押釦スイッチをピアノハンドルを介して押操作することで、ランプの点灯出力を切り替えることができ、且つ、ピアノハンドルから取り外したリモコン本体を用い、リモコン本体の調光操作釦を操作することで、リモコン本体の信号送信部からワイヤレス信号で調光信号を送信させ、この調光信号をもとに制御回路部がランプの調光レベルを変化させているので、ランプの調光操作を手元で行うことができ、調光操作を行うために造営材に固定されたスイッチ本体の設置位置まで行かなくても済むから、使い勝手が向上するという効果がある。
【０００７】
請求項２の発明は、請求項１の発明において、リモコン本体におけるピアノハンドルとの対向面にランプをオン／オフさせるオン／オフ操作釦を設け、該オン／オフ操作釦が操作されると、信号送信部がオン／オフ信号をワイヤレス信号で送信しており、制御回路部は、押釦スイッチからの操作信号が消灯時に入力されるとランプを全点灯させ、点灯時に入力されるとランプを消灯させるとともに、信号受信部にオン／オフ信号が消灯時において入力されると前回調光信号で調整された調光レベルでランプを点灯させ、点灯時において入力されるとランプを消灯させることを特徴とする。
【０００８】
この発明によれば、例えば夜間に入室する場合は先ず造営材に固定されたスイッチ本体のピアノハンドルを操作すると想定されるので、ピアノハンドルを介して押釦スイッチを押操作した場合にはランプを全点灯させることで、室内を明るく照明することができる。また、就寝前にリモコン本体の調光操作釦を操作してランプを減光させた状態で、ランプを消灯させて就寝した後、深夜にトイレなどで起きた場合にリモコン本体のオン／オフ操作釦を用いてランプを点灯させると、前回調光操作釦で調整された調光レベルでランプが点灯するので、ランプが全点灯する場合に比べて使用者が眩しく感じるのを防止でき、使い勝手がさらに向上する。
【０００９】
請求項３の発明は、請求項２の発明において、制御回路部は、信号受信部にオン／オフ信号が入力された場合はランプの光出力を目標値まで所定のフェード時間内で徐々に変化させ、押釦スイッチから操作信号が入力された場合はランプの光出力を目標値まで瞬時に変化させることを特徴とする。
【００１０】
リモコン本体を用いてランプのオン／オフ操作を行う場面は、テレビなどを鑑賞したり、就寝している場合なので、リモコン本体のオン／オフ操作釦を押操作した場合は制御回路部がランプの光出力を目標値までフェード時間内で徐々に変化させることで、使用者に違和感を与えたり、目が眩んだりするのを防止できる。一方、造営材に固定されたスイッチ本体の押釦スイッチをピアノハンドルを介して押操作する場面は、部屋に入室したり、部屋から退室する場合なので、ランプの光出力を徐々に変化させる必要はなく、押釦スイッチから操作信号が入力された場合はランプの光出力を目標値まで瞬時に変化させることで、ランプの光出力を短時間に変化させることができる。
【００１１】
請求項４の発明は、請求項１の発明において、スイッチ本体に、リモコン本体がピアノハンドルに取り付けられているか否かを検知するリモコン装着検知手段を設け、リモコン装着検知手段がリモコン本体の取付状態を検知している場合、制御回路部は、押釦スイッチから操作信号が入力されると、ランプを全点灯させるか又は消灯させ、リモコン装着検知手段がリモコン本体の取外し状態を検知している場合、制御回路部は、押釦スイッチから操作信号が入力されると、ランプを前回調光信号で調整された調光レベルで点灯させるか又は消灯させることを特徴とする。
【００１２】
ここで、就寝前やテレビ鑑賞の場面ではオン／オフ操作に応じてランプを調光レベルで点灯又は消灯させ、それ以外の場面ではオン／オフ操作に応じてランプを全点灯又は消灯させることが望ましいが、請求項４の発明によれば、リモコン装着検知手段がリモコン本体の取付状態を検知している場合、すなわちリモコン本体が外されておらず、就寝前やテレビの鑑賞中ではないと予想される場合は、ピアノハンドルを介して押釦スイッチの押釦を押操作すると、ランプを全点灯又は消灯させることができ、またリモコン装着検知手段がリモコン本体の取外し状態を検知している場合、すなわち就寝前やテレビの鑑賞中でリモコン本体を外して使用していると予想される場合は、ピアノハンドルを介して押釦スイッチの押釦を押操作すると、ランプを調光点灯又は消灯させることができるから、使い勝手が向上する。
【００１３】
請求項５の発明は、請求項１の発明において、制御回路部に押釦スイッチの操作信号が所定時間内に複数回入力されると、制御回路部は、前回調光信号で調整された調光レベルでランプを調光点灯させることを特徴とする。
【００１４】
この発明によれば、ピアノハンドルを介して押釦スイッチの押釦を所定時間内に複数回押操作すると、制御回路部が、前回調光信号で調整された調光レベルでランプを調光点灯させているので、リモコン本体が見当たらない場合でも、最後に調整された調光レベルでランプを調光点灯させることができるという効果がある。
【００１５】
請求項６の発明は、請求項１〜５の何れか１つの発明において、スイッチ本体の前面に、調光操作のための調光釦を設け、制御回路部が、調光釦の操作に応じてランプの調光レベルを変化させることを特徴とする。
【００１６】
この発明によれば、造営材に固定されたスイッチ本体にも調光釦が設けられ、この調光釦を操作することによっても、ランプの調光レベルを変化させることができるので、スイッチ本体とリモコン本体の両方で調光操作を行うことができ、リモコン本体が見当たらない場合でもスイッチ本体の調光釦を用いて調光操作が行えるという効果がある。
【００１７】
請求項７の発明は、請求項１〜５の何れか１つの発明において、押釦スイッチの操作信号が制御回路部に所定の連続押し時間以上連続して入力されると、制御回路部は、操作信号が入力されている間、ランプの調光レベルを上限値と下限値の間で繰り返し増減させることを特徴とする。
【００１８】
この発明によれば、ピアノハンドルを介して押釦スイッチの押釦を所定の連続押し時間以上連続して押し操作すると、制御回路部は、操作信号が入力されている間、ランプの調光レベルを上限値と下限値の間で繰り返し増減させるので、所望の調光レベルになった時にピアノハンドルを離すことで所望の調光レベルで点灯させることができ、リモコン本体が見当たらない場合でもランプの調光レベルを調整できるという効果がある。
【００１９】
請求項８の発明は、請求項１〜７の何れか１つの発明において、スイッチ本体に調光レベルの下限値を設定する下限値設定手段を設け、制御回路部は、下限値設定手段で設定された下限値よりも明るい範囲で調光レベルを変化させることを特徴とする。
【００２０】
この発明によれば、スイッチ本体の下限値設定手段により調光レベルの下限値を設定でき、例えばカラオケボックスや喫茶室や高齢化住宅のように暗くなりすぎると困るような使用場所では、下限値設定手段で設定された下限値よりも暗くなることがないので、安全に使用することができる。
【００２１】
請求項９の発明は、請求項１〜８の何れか１つの発明において、スイッチ本体に調光レベルを記憶する記憶手段を設けるとともに、リモコン本体におけるピアノハンドルとの対向面に所望の調光レベルの登録／再生用の調光レベル録再釦を設け、信号送信部は、調光レベル録再釦が押されるとレベル録再信号をワイヤレス信号で送信しており、制御回路部は、信号受信部がレベル録再信号を一定時間以上連続して受信すると、現在の調光レベルを記憶手段に記憶させるとともに、信号受信部がレベル録再信号を一定時間よりも短い時間だけ受信すると、記憶手段に記憶された調光レベルでランプを調光点灯させることを特徴とする。
【００２２】
この発明によれば、調光レベル録再釦を長押しして、信号受信部がレベル録再信号を一定時間以上連続して受信すると、制御回路部が記憶手段に現在の調光レベルを記憶させるので、例えば就寝前やテレビの鑑賞時などに調光操作釦を用いて設定した所望の調光レベルを記憶手段に記憶させることができる。そして、記憶手段に所望の調光レベルを記憶させておけば、調光レベル録再釦を一定時間よりも短い時間だけ押操作すると、信号受信部がレベル録再信号を一定時間よりも短い時間だけ受信し、制御回路部が記憶手段に記憶された調光レベルでランプを点灯させるので、毎回調光レベルの設定を行う必要が無く、調光レベル録再釦を押操作するだけで、所望の調光レベルでランプを点灯させることができる。
【００２３】
請求項１０の発明は、請求項１〜９の何れか１つの発明において、ランプの調光制御に関わる設定を行う外部設定器よりワイヤレス信号で送信された設定信号を信号受信部が受信すると、制御回路部は、信号受信部の受信した設定信号を記憶手段に記憶させるとともに、記憶手段に記憶された設定信号にしたがって調光制御を行うことを特徴とする。
【００２４】
この発明によれば、外部設定器を用いて調光制御に関わる設定を行うことができ、使用者の要求に合わせた動作を行わせることができる。また、外部設定器を使用すれば、スイッチ本体の設置位置まで行かなくても、手元で調光制御に関わる設定を行うことができ、使い勝手が向上するという効果がある。
【００２５】
請求項１１の発明は、請求項１〜１０の何れか１つの発明において、リモコン本体に、ピアノハンドルから取り外されると検知信号を発生する取外し検知手段、及び、検知手段から検知信号が所定の検知時間以上連続して出力されると報知音又は光の少なくとも何れか一方を発する報知手段を設けたことを特徴とする。
【００２６】
この発明によれば、リモコン本体をピアノハンドルから外して所定の検知時間が経過すると、リモコン本体の報知手段から報知音又は光の少なくとも何れか一方が発せられるので、報知手段から発せられた報知音又は光でリモコン本体の位置を探しやすくなるという効果がある。
【００２７】
請求項１２の発明は、請求項１〜１０の何れか１つの発明において、リモコン本体に、外部からワイヤレス信号により送信された報知命令を受信する報知命令受信部と、該報知命令受信部が報知命令を受信すると報知音又は光の少なくとも何れか一方を発する報知手段とを設けるとともに、スイッチ本体にワイヤレス信号により報知命令を送信する報知命令送信部を設け、ピアノハンドルが所定の操作時間以上連続して押し続けられ、押釦スイッチからの操作信号が制御回路部に操作時間以上連続して入力されると、制御回路部が報知命令送信部から報知命令を送信させることを特徴とする。
【００２８】
この発明によれば、スイッチ本体のピアノハンドルを所定の操作時間以上連続して押し続けると、報知命令送信部から報知命令が送信され、リモコン本体では、報知命令受信部が報知命令を受信すると、報知手段から報知音又は光の少なくとも何れか一方が発せられるので、報知手段から発せられた報知音又は光でリモコン本体の位置を探しやすくなるという効果がある。
【００２９】
請求項１３の発明は、請求項２又は３の発明において、リモコン本体は、扁平な直方体状に形成され、ピアノハンドルとの対向面に調光操作釦とオン／オフ操作釦とを含む複数の操作釦が設けられており、リモコン本体の長手方向一端部に信号送信手段を配置するとともに、複数の操作釦の内でオン／オフ操作釦を一端部に最も近い位置に配置したことを特徴とする。
【００３０】
リモコン本体を手に把持する場合は、信号送信手段が配置された長手方向一端部を前方に向けて手に把持するのであるが、複数の操作釦の内でオン／オフ操作釦を一端部に最も近い位置に配置しているので、利き手が左右何れの場合でも操作頻度の比較的高いオン／オフ操作釦がリモコン本体を把持する手の親指の位置に近くなり、リモコン本体を把持する手でオン／オフ操作釦を操作しやすいという効果がある。
【００３１】
請求項１４の発明は、請求項１〜１３の何れか１つの発明において、リモコン本体におけるピアノハンドルとの対向面と、この対向面と反対側の面とに、蓄光材料により形成された発光表示部を設けたことを特徴とする。
【００３２】
この発明によれば、リモコン本体がピアノハンドルとの対向面を上にしておかれた場合でも、ピアノハンドルとの対向面を下にして置かれた場合でも、上記対向面およびこの対向面と反対側の面にそれぞれ形成された発光表示部が夜間に発光するので、リモコン本体の位置が容易に判るという効果がある。
【００３３】
請求項１５の発明は、請求項１〜１４の何れか１つの発明において、リモコン本体におけるピアノハンドルとの対向面には、調光操作釦を少なくとも含む１乃至複数の操作釦が設けられ、該操作釦の押操作部分に蓄光材料により形成された発光表示部を設けたことを特徴とする。
【００３４】
この発明によれば、操作釦の押操作部分に形成された発光表示部が夜間に発光するので、押操作部分の位置が容易に判り、操作し易いという効果がある。
【００３５】
請求項１６の発明は、請求項１〜１５の何れか１つの発明において、スイッチ本体に、電力伝達用の１次コイルを具備した電力供給部を設けるとともに、リモコン本体に、信号送信部を含む回路部の動作電源を供給する二次電池と、リモコン本体をピアノハンドルに取り付けた状態で１次コイルに磁気結合される２次コイルと、電力供給部から１次コイルおよび２次コイルを介して電磁誘導により電力供給されて、２次電池を充電する充電回路とを設けたことを特徴とする。
【００３６】
この発明によれば、スイッチ本体をピアノハンドルに取り付けておけば、スイッチ本体の１次コイルとリモコン本体の２次コイルとが磁気結合され、電力供給部から１次コイルおよび２次コイルを介してリモコン本体の充電回路に電力が供給され、この充電回路によって二次電池が充電されるので、リモコン本体の電池を交換する必要が無く、またリモコンン本体をピアノハンドルに戻すと二次電池の充電が行われるので、別途充電器を用意する必要がないから、使い勝手が良い。
【発明の効果】
【００３７】
本発明によれば、造営材に固定されたスイッチ本体の押釦スイッチをピアノハンドルを介して押操作することで、ランプの点灯出力を切り替えることができ、且つ、ピアノハンドルから取り外したリモコン本体を用い、リモコン本体の調光操作釦を操作することで、リモコン本体の信号送信部からワイヤレス信号で調光信号を送信させ、この調光信号をもとに制御回路部がランプの調光レベルを変化させているので、ランプの調光操作を手元で行うことができ、調光操作を行うために造営材に固定されたスイッチ本体の設置位置まで行かなくても済むから、使い勝手が向上するという効果がある。
【発明を実施するための最良の形態】
【００３８】
以下に本発明の実施の形態を図面に基づいて説明する。
【００３９】
（実施形態１）
本発明の実施形態１を図１〜図５に基づいて説明する。本実施形態の調光機能付スイッチは、図１〜図３に示すように、縦長の略直方体状のスイッチ本体１と、スイッチ本体１に枢着されるピアノハンドル２と、ピアノハンドル２に着脱自在に取り付けられるワイヤレスリモコン（リモコン本体）３とを主要な構成として有する。
【００４０】
スイッチ本体１の内部には、図４（ａ）の回路を構成する押釦スイッチＳＷ１、切替スイッチＳＷ２、発光ダイオードＬＤ１、受光素子４１などの回路部品を実装したプリント配線板よりなる回路基板（図示せず）と、電源線および負荷線を回路基板に接続するための従来周知の速結端子構造の接続端子（図示せず）とが収納されている。そして、スイッチ本体１の前面には、上下方向における中間部の右側寄りの部位に、周囲にスリットを形成することでスイッチ本体１に片持ち支持され、その自由端で押釦スイッチＳＷ１の押釦（図示せず）を押圧駆動する撓み片１５が形成されており、この撓み片１５の下側に設けた開口部から切替スイッチＳＷ２の操作子６１が露出している。またスイッチ本体１の前面には、上下方向における中央部の左側に発光ダイオードＬＤ１の発光面を外部に臨ませる丸孔１６が形成されており、この丸孔１６の下側に形成された開口を通して受光素子４１の受光面が外部に露出している。またスイッチ本体１の背面には、電源線および負荷線を本体内部の接続端子に接続するための電線挿通孔（図示せず）が開口しており、被覆が剥かれた電線を電線挿通孔に挿入することで、電源線および負荷線を接続端子に容易に接続できるようになっている。
【００４１】
またスイッチ本体１を既製の埋込型配線器具を埋設する場合に用いる取付枠４に着脱自在に取付可能とするために、スイッチ本体１の左側面には上下両側に各一対の取付爪（図示せず）が突設され、右側面には上下方向における中央部に一対の取付爪１１が突設されている。右側面に設けた一対の取付爪１１の上下両側にはスリット（図示せず）が形成され、一対の取付爪１１が突設された部位を内側へ弾性的に撓むようにしてある。
【００４２】
而して、取付枠４にスイッチ本体１を取り付ける際には、スイッチ本体１の左側面に形成された取付爪を、取付枠４の左側片に形成された器具取付孔４ａに斜め後方から係止させた後、スイッチ本体１の右側部を前方に押し込むと、スイッチ本体１の右側面に形成された取付爪１１が取付枠４の右側片で押されて内側に撓み、この取付爪１１が右側片に形成された器具取付孔４ａと係止することで、スイッチ本体１が取付枠４に取着されるようになっている。一方、スイッチ本体１を取付枠４から取り外す際には、右側の取付爪１１を内側に後退させることで、取付爪１１と器具取付孔４ａとの係止状態が解除されるので、スイッチ本体１を取付枠４から容易に取り外すことができる。なお、取付枠４の上下の枠片にはボックスねじ７を挿通するための長孔４ｂが形成されており、長孔４ｂに通したボックスねじ７を用いて取付枠４を埋込ボックス（図示せず）にねじ固定することができる。また取付枠４の上下の枠片には、プレート枠５を固定するためのプレートねじ用のねじ孔４ｃが設けられており、プレートねじ（図示せず）を用いて取付枠４の前面にプレート枠５が取着され、さらにプレート枠５の前面に化粧プレート６が重ねて取着されるようになっている。
【００４３】
またスイッチ本体１の前面には、上下方向における中央部の左端に、横向となった軸部１２が間隔を開けて２つ突設してあり、これらの軸部１２は上部が横向きの略円柱形状をしている。スイッチ本体１前面の右側には、後述するピアノハンドル２の係止脚片２１，２１がそれぞれ挿入される係止孔１３，１３が形成されている。またスイッチ本体１の前面には上下両側部に横長の透孔がそれぞれ形成され、これらの透孔内に一端部がスイッチ本体１に片持ち支持された矩形板状の弾性ばね片１４，１４がスイッチ本体１と連続一体に形成されており、各弾性ばね片１４，１４の自由端側は前方に突出して、ピアノハンドル２の裏面の上下にそれぞれ当接し、ピアノハンドル２の右側部を前方に押圧している。
【００４４】
一方、ピアノハンドル２は合成樹脂により前面視の形状が略矩形状に形成されており、上述の化粧プレート６の窓孔６ａと略同じ大きさに形成されている。ピアノハンドル２の裏面の左端には一対の軸部１２と枢支する枢支部（図示せず）が設けられ、右端にはスイッチ本体１の係止孔１３，１３に挿入される一対の係止脚片２１，２１が形成されている。またピアノハンドル２の前面の左端部には、上下方向に沿って細幅の突台２２が前方に向かって突設されており、突台２２以外の部位は突台２２よりも薄肉であって、ワイヤレスリモコン３が着脱自在に取り付けられる取付部２３を構成している。
【００４５】
ピアノハンドル２の突台２２の前面側には受光カバー２４が取着されている。受光カバー２４は、赤外光に対して透光性を有するとともに可視光に対して遮光性を有するような合成樹脂により帯板状に形成されており、かしめなどの方法でピアノハンドル２に固定される。なおピアノハンドル２には、発光ダイオードＬＤ１の発光面及び受光素子４１の受光部に対向する部位に透孔（図示せず）が形成されている。発光ダイオードＬＤ１の発光面に対向させて形成した透孔には発光ダイオードＬＤ１の発光を外部に導くプリズムのような導光部材２５が取着されおり、この導光部材２５は受光カバー２４に設けた切欠を通して受光カバー２４の前面に露出している。また受光素子４１の受光部に対向させて形成した透孔は受光カバー２４によって塞がれており、この透孔に臨む受光カバー２４の部位にはワイヤレスリモコン３から送信される光信号を受光素子４１の受光部に集光させるレンズ部（図示せず）が形成されている。
【００４６】
そして、ピアノハンドル２は枢支部をスイッチ本体１の軸部１２，１２に軸支させるとともに、係止脚片２１，２１をスイッチ本体１の係止孔１３，１３に挿入することによって、スイッチ本体１に対して回動自在に軸支され、弾性ばね片１４などによって操作方向と反対側に付勢されて、復帰位置まで移動する。この時、係止脚片２１の先端の爪が係止孔１３の孔縁と係止することで、ピアノハンドル２の抜け止めが為される。また発光ダイオードＬＤ１の発光部に導光部材２５が対向するとともに、受光素子４１の受光面に受光カバー２４のレンズ部が対向しており、発光ダイオードＬＤ１の発光が導光部材２５を通して外部に導かれ、ワイヤレスリモコン３から送信された光信号が受光カバー２４のレンズ部により受光素子４１に集光されるのである。この状態からピアノハンドル２の操作側を押操作すると、ピアノハンドル２が軸部１２を中心に回転し、ピアノハンドル２の裏面の押圧突起（図示せず）によって撓み片１５が内側に押圧され、撓み片１５によってスイッチ本体１内部の押釦スイッチＳＷ１の押釦（図示せず）が押操作される。その後ピアノハンドル２の操作側を押す力が無くなると、押釦スイッチＳＷ１の押釦に発生する復帰力や弾性ばね片１４に発生する復帰力などを受けてピアノハンドル２が復帰位置まで移動する。すなわち、押釦スイッチＳＷ１の押釦はピアノハンドル２を押操作する間だけ押動される。なお、ピアノハンドル２前面の右端部には、操作位置を表示するための突起２６が突設されており、突起２６に触れることで暗闇でも操作位置が容易に判別でき、また視覚障害者や高齢者なども操作位置を容易に判別できるようにしている。
【００４７】
次にワイヤレスリモコン３の構造について説明する。ワイヤレスリモコン３のケース３０は合成樹脂により背面および下面が開口した扁平な直方体状に形成されており、ケース３０の前面は幅方向における中間部が両側部よりも前方に突出するような曲面に形成されている。そして、ケース３０の左右および上下の寸法はピアノハンドル２の取付部２３の左右および上下の寸法と略等しい寸法に設定され、ケース３０の厚み寸法はケース３０を取付部２３に取り付けた際にケース３０の前面と受光カバー２４の前面とが略面一になるような寸法に設定されている。このケース３０の内部には図４（ｂ）の回路を形成した回路基板（図示せず）と、電池Ｂ１とが収納されている。そして、ケース３０の背面には、合成樹脂により板状に形成された可撓性を有するメンブレンシート３１が貼り付けられ、このメンブレンシート３１によって背面の開口が閉塞される。メンブレンシート３１の表面にはドーム状に突出する複数個（例えば５個）の操作凸部３２ａ〜３２ｅが上下に並べて形成されており、各操作凸部３２ａ〜３２ｅには操作内容を示す文字や記号が蓄光材料で印刷されている。これらの操作凸部３２ａ〜３２ｅは後述するスイッチＳＷ１１〜ＳＷ１５の操作部を構成し、操作凸部３２ａ〜３２ｅを押圧するとスイッチＳＷ１１〜ＳＷ１５がオンになる。またケース３０の上側面に設けた開口３３に臨んで発光ダイオードＬＤ２の発光面が配置されるとともに、ケース３０の左側面に設けた開口（図示せず）内に臨んで切替スイッチＳＷ１６の操作子（図示せず）が配置されている。またケース３０の下面の開口からは、ボタン形の電池Ｂ１を保持した電池ホルダが挿入されるようになっており、この電池ホルダによって下面の開口が閉塞されている。
【００４８】
このワイヤレスリモコン３のケース３０はピアノハンドル２の取付部２３に取り付けられる。すなわちワイヤレスリモコン３をピアノハンドル２の向きに合わせて、ワイヤレスリモコン３を取付部２３に前面側から取り付けると、ワイヤレスリモコン３のケース３０内部に納装された鉄片（図示せず）がピアノハンドル２の背面に取着された永久磁石（図示せず）によって吸着され、ワイヤレスリモコン３がピアノハンドル２に保持される。この時、ケース３０の左側面の上下に設けた係止凹部３４が、受光カバー２４の上下に設けた係止突起２７に係止するとともに、ケース３０の背面に設けた係止溝３５がピアノハンドル２の突起２６と係止することで、ケース３０が取付部２３に位置決めされ、ケース３０の位置ずれが起こりにくくなっている。そして、この状態でワイヤレスリモコン３の前面の右側を押圧すると、ワイヤレスリモコン３の押力をピアノハンドル２が受けて、軸部１２を中心に回転し、ピアノハンドル２によって押釦スイッチＳＷ１の押釦が押操作される。その後ワイヤレスリモコン３の操作側を押す力が無くなると、押釦スイッチＳＷ１の押釦に発生する復帰力や弾性ばね片１４に発生する復帰力などを受けてピアノハンドル２が復帰位置まで移動する。なお、ワイヤレスリモコン３の前面の右端部にも操作位置を表示するための突起３６が突設されている。
【００４９】
一方、ワイヤレスリモコン３をピアノハンドル２から外してリモコン操作を行う場合は、ワイヤレスリモコン３のケース３０の右側面に突設された突条３７に手を掛けて、ケース３０を前方に引っ張ると、ケース３０を容易に取り外すことができ、ケース３０を持ち運んでリモコン操作が行えるのである。
【００５０】
次に本実施形態の回路構成を図４に基づいて説明する。スイッチ本体１は図４（ａ）に示すような回路を有し、白熱灯のようなランプＬを介して商用電源ＡＣに接続される接続端子Ｔ１，Ｔ２と、接続端子Ｔ１，Ｔ２間に接続されてランプＬへの電源供給をオン／オフするトライアックのようなスイッチ素子Ｑ１と、例えばフォトダイオードからなり赤外線のような光信号からなるワイヤレス信号を受信する受光素子４１（信号受信部）と、モーメンタリ形の押釦スイッチＳＷ１と、マイクロコンピュータからなり、受光素子４１の受信信号あるいは押釦スイッチＳＷ１の操作信号に基づいてランプＬの点灯出力を制御する制御信号ａを出力する制御回路部４０と、制御信号ａに応じてスイッチ素子Ｑ１の導通角を制御することで、ランプＬの点灯出力を変化させる駆動回路４２と、接続端子Ｔ１，Ｔ２間に入力端子間が接続されて商用電源ＡＣの電源電圧を整流する整流回路４３と、整流回路４３の整流出力を平滑して制御回路部４０などの動作電源を生成する電源回路部４４とを備えている。尚、図中のＬＤ１はランプＬの消灯時に点灯して位置表示を行ったり、点滅周期を変化させることで動作状態を表示するための発光ダイオードであり、ＳＷ２はチャンネル切替のための切替スイッチである。
【００５１】
ワイヤレスリモコン３は図４（ｂ）に示すような回路を有しており、後述のスイッチＳＷ１１〜ＳＷ１５および切替スイッチＳＷ１６の操作入力を監視する入力部５１と、赤外線のような光信号からなるワイヤレス信号を送信する発光ダイオードＬＤ２と、マイクロコンピュータからなり入力部５１を介して入力される操作入力に基づいて発光ダイオードＬＤ２の駆動信号を発生する制御回路部５０と、制御回路部５０などの動作電源を供給する電池Ｂ１と、電池Ｂ１の両端間に抵抗Ｒ１を介して直列接続された発光ダイオードＬＤ２およびスイッチ素子Ｑ２を具備し、駆動信号に応じてスイッチ素子Ｑ２をオン／オフし、発光ダイオードＬＤ２への通電を制御することでワイヤレス信号を送信させる信号送信部５２とを備える。ここで、スイッチＳＷ１１は、操作に応じてランプＬのオン／オフを反転させる操作信号を出力する。また、スイッチＳＷ１２は操作に応じて調光レベルを明るくさせる操作信号を出力し、スイッチＳＷ１３は操作に応じて調光レベルを暗くさせる操作信号を出力する。スイッチＳＷ１４は、操作に応じて調光レベルを登録又は再生させる操作信号を出力し、スイッチＳＷ１５は、操作に応じてタイマ動作を行わせるための操作信号を出力する。
【００５２】
本実施形態の調光機能付スイッチの動作について以下に説明する。
【００５３】
先ずスイッチ本体１側でランプＬのオン／オフを制御する操作について説明する。ワイヤレスリモコン３の取付時にワイヤレスリモコン３のケース３０の操作側を押操作するか、又は、ワイヤレスリモコン３の取外し時にピアノハンドル２の操作側を押操作すると、押圧力を受けてピアノハンドル２が軸部１２を中心に回転し、ピアノハンドル２が撓み片１５を介して押釦スイッチＳＷ１の押釦を押操作する。制御回路部４０は押釦スイッチＳＷ１の操作入力および受光素子４１からの信号入力を常時監視しており、押釦スイッチＳＷ１が押操作されると、ランプＬのオン／オフを反転させる制御信号ａを駆動回路４２に出力する。そして、駆動回路４２が制御信号ａに基づいてスイッチ素子Ｑ１のオン／オフを制御することで、ランプＬのオン／オフを反転させ、ランプＬを全点灯または消灯させる。このように、スイッチ本体１側でピアノハンドル２、或いは、ピアノハンドル２に装着されたワイヤレススイッチ３のケース３０を押操作すると、この押操作に応じてランプＬのオン／オフが反転し、点灯時に押操作されるとランプＬを消灯させ、消灯時に押操作されるとランプＬを全点灯させる。
【００５４】
次に就寝前やテレビ鑑賞時にワイヤレスリモコン３をピアノハンドル２から取り外し、ワイヤレスリモコン３を用いてリモコン操作を行う場合の動作について説明する。ワイヤレスリモコン３では、操作凸部３２ａ〜３２ｅが押操作されると、対応するスイッチＳＷ１１〜ＳＷ１５の操作信号が入力部５１を介して制御回路部５０に入力される。制御回路部５０は、入力部５１を介して操作信号が与えられると、この操作信号に基づいて所定のワイヤレス信号を送信させるための制御信号を発生する。そして、信号送信部５２が制御回路部４０の制御信号に応じて発光ダイオードＬＤ２を駆動し、赤外線のような光信号からなるワイヤレス信号でランプＬの制御信号を送信する。このワイヤレス信号のフォーマットは例えば家電製品協会の自主規格に準拠したフォーマットを使用している。
【００５５】
ここに、オン／オフ操作釦を構成する操作凸部３２ａが押操作（スイッチＳＷ１１がオン）された場合はランプＬのオン／オフを反転させる制御信号（オン／オフ信号）が送信される。また調光操作釦を構成する操作凸部３２ｂ，３２ｃの内、操作凸部３２ｂが押操作（スイッチＳＷ１２がオン）された場合はランプＬの調光レベルを明るくする制御信号（明調光信号）が送信され、操作凸部３２ｃが押操作（スイッチＳＷ１３がオン）された場合はランプＬの調光レベルを暗くする制御信号（暗調光信号）が送信される。さらに、調光レベル録再釦を構成する操作凸部３２ｄが押操作（スイッチＳＷ１４がオン）された場合は調光レベルを登録／再生させる制御信号（レベル録再信号）が送信される。また更に、操作凸部３２ｅが押操作（スイッチＳＷ１５がオン）された場合はタイマ動作を行わせる制御信号（タイマ制御信号）が送信される。
【００５６】
一方、スイッチ本体１では、制御回路部４０が押釦スイッチＳＷ１の操作入力および受光素子４１からの信号入力を常時監視しており、受光素子４１が制御信号を受信すると、受信した制御信号に基づいて駆動回路４２の動作を制御し、ランプＬの点灯出力を制御する。
【００５７】
ここで、受光素子４１が調光レベルを増加或いは減少させる調光信号を受信した場合、制御回路部４０は、調光信号が入力される間中、スイッチ素子Ｑ２の導通角を増加或いは減少させて、ランプＬの調光レベルを明るくする方向或いは暗くする方向に変化させており、その後調光信号の入力が停止すると、現在の調光レベルを制御回路部４０に内蔵されたフラッシュメモリ（図示せず）に記憶させる。また受光素子４１がオン／オフ信号を受信した場合、制御回路部４０は、消灯中であればフラッシュメモリに記憶された調光レベルでランプＬを調光点灯させ、点灯中であればランプＬを消灯させており、調光レベルでの点灯と消灯を交互に繰り返させる。さらに受光素子４１がレベル録再信号を一定時間（例えば２秒）以上連続して受信すると、制御回路部４０は、現在の調光レベルを内蔵のフラッシュメモリ（記憶手段）に登録させる。その後受光素子４１がレベル録再信号を上記一定時間よりも短い時間だけ受信すると、制御回路部４０は、フラッシュメモリに登録された調光レベルでランプＬを調光点灯させる。また更に、受光素子４１がタイマ制御信号を受信すると、制御回路部４０は、ランプＬを点灯させるとともに、所定のタイマ時間（例えば６０分）が経過した後にランプＬを消灯させる。
【００５８】
次に本実施形態の動作を図５に基づいて具体的に説明する。初期状態において消灯中の時刻ｔ１にワイヤレスリモコン３の操作凸部３２ａが押操作されて、ワイヤレスリモコン３からスイッチ本体１にオン／オフ信号が送信されると、スイッチ本体１の制御回路部４０は内蔵するフラッシュメモリに記憶された前回調整時の調光レベルでランプＬを調光点灯させる。なお初期状態では調光レベルの初期値が１００％となっているので、制御回路部４０はランプＬを全点灯状態で点灯させる。その後、時刻ｔ３においてワイヤレスリモコン３の操作凸部３２ｃが押操作され、ワイヤレスリモコン３からスイッチ本体１に暗調光信号が送信されると、スイッチ本体１の制御回路部４０はランプＬの調光レベルを１００％（全点灯状態）から徐々に低下させる。そして、時刻ｔ４において操作凸部３２ｃが離され、ワイヤレスリモコン３から暗調光信号が送信されなくなると、制御回路部４０は調光レベルの変化を停止し、現在の調光レベルでランプＬを調光点灯させるとともに、現在の調光レベルを内蔵するフラッシュメモリに記憶させる。その後、時刻ｔ５において、操作凸部３２ａが再び押操作されると、ワイヤレスリモコン３からスイッチ本体１にオン／オフ信号が送信され、スイッチ本体１の制御回路部４０はランプＬを調光点灯状態から消灯状態に切り替える。
【００５９】
そして、消灯中の時刻ｔ７において、スイッチ本体１のピアノハンドル２が押操作されて、押釦スイッチＳＷ１がオンになると、制御回路部４０は押釦スイッチＳＷ１からの操作入力に基づいてランプＬを全点灯させる。また時刻ｔ８においてピアノハンドル２が再び押操作されて、押釦スイッチＳＷ１がオンになると、制御回路部４０は押釦スイッチＳＷ１からの操作入力に基づいてランプＬを消灯させる。
【００６０】
次に、消灯中の時刻ｔ９において、ワイヤレスリモコン３の操作凸部３２ａが押操作されて、ワイヤレスリモコン３からスイッチ本体１にオン／オフ信号が送信されると、制御回路部４０はオン／オフ信号に応じてフラッシュメモリに記憶された前回調整時の調光レベルＡ１でランプＬを点灯させる。また、調光点灯中の時刻ｔ１１において、操作凸部３２ａが再び押操作されると、ワイヤレスリモコン３からスイッチ本体１にオン／オフ信号が再び送信され、制御回路部４０はオン／オフ信号に応じてランプＬを調光点灯状態から消灯状態に切り替える。
【００６１】
このように、本実施形態ではワイヤレスリモコン３の調光操作釦（操作凸部３２ｂ，３２ｃ）を押操作することで、スイッチ本体１と離れた場所からランプＬの調光レベルを変化させることが可能になり、就寝時やテレビ鑑賞時においてスイッチ本体１の設置場所まで行かなくても手元で調光操作を行えるから、使い勝手が向上する。
【００６２】
またスイッチ本体１のピアノハンドル２を押操作した場合は、制御回路部４０がランプＬを全点灯又は消灯させるが、ワイヤレスリモコン３の操作凸部３２ａを押操作した場合は、制御回路部４０が、ランプＬを前回調整された調光レベルで調光点灯させるか又は消灯させている。ここで、部屋に入室したり退室する際にはランプＬを全点灯又は消灯させる場合が多く、一般に壁に固定されたスイッチ本体１のピアノハンドル２を操作する場合が多いので、ピアノハンドル２の操作に応じてランプＬを全点灯又は消灯させるのが好ましい。また例えば就寝前にランプＬを減光させた状態で、ランプＬを消灯させて就寝した後、深夜にトイレなどで起きた場合、ランプＬを全点灯させると目が眩んでしまうが、ワイヤレスリモコン３の操作凸部３２ａを押操作してランプＬを点灯させると、制御回路部４０は前回調整された調光レベルでランプＬを調光点灯させるので、使用者が眩しく感じるのを防止でき、使い勝手が更に向上する。
【００６３】
またワイヤレスリモコン３を用いてランプＬのオン／オフ操作を行う場面は、テレビなどを鑑賞したり、就寝している場合なので、ワイヤレスリモコン３の操作凸部３２ａを操作してランプＬを調光点灯又は消灯させる場合には、制御回路部４０が所定のフェード時間（時刻ｔ１〜ｔ２、時刻ｔ５〜ｔ６、時刻ｔ９〜ｔ１０、時刻ｔ１１〜ｔ１２）内に調光レベルを目標値まで徐々に変化させることで、使用者に違和感を与えたり、目が眩んだりするのを防止できる。さらに造営材に固定されたスイッチ本体１の押釦スイッチＳＷ１をピアノハンドル２を介して押操作する場面は、部屋に入室したり、部屋から退室する場合なので、ランプＬの光出力を徐々に変化させる必要はなく、押釦スイッチＳＷ１からの操作信号が入力された場合はランプＬの光出力を目標値まで瞬時に変化させることで、ランプＬの光出力を短時間に変化させることができる。
【００６４】
またワイヤレスリモコン３の操作凸部３２ｄを押操作すると、ワイヤレスリモコン３からレベル録再信号がスイッチ本体１に送信されるのであるが、操作凸部３２ｄを長押しして、レベル録再信号が一定時間（例えば２秒間）以上送信されると（つまり受光素子４１がレベル録再信号を一定時間以上受信すると）、制御回路部４０は現在の調光レベルの設定値をシーン再生用の調光レベルとして内蔵するフラッシュメモリに登録させる。その後、ワイヤレスリモコン３の操作凸部３２ｄが一定時間よりも短い時間だけ押操作されると、ワイヤレスリモコン３からレベル録再信号がスイッチ本体１に短時間送信される。この時、受光素子４１では一定時間よりも短い時間だけレベル録再信号を受信するので、このレベル録再信号に応じて制御回路部４０がフラッシュメモリからシーン再生用の調光レベルを読み込み、読み込んだ調光レベルでランプＬを調光点灯させる。このように、ワイヤレスリモコン３の操作凸部３２ｂ，３２ｃを操作してランプＬの調光レベルを所望のレベルに調整した後に、操作凸部３２ｄを長押しして現在の調光レベルを記憶させておけば、その後操作凸部３２ｄを短時間押操作するだけで、ランプＬを好みの調光レベルで点灯させることが可能になり、使い勝手が向上する。なお本実施形態では現在の調光レベルやシーン再生用の調光レベルを制御回路部４０が内蔵するフラッシュメモリに記憶させているが、ＥＥＰＲＯＭのような不揮発性のメモリに記憶させても良い。
【００６５】
またワイヤレスリモコン３のケース３０は扁平な直方体状に形成され、長手方向の一端部に信号送信部５２の発光ダイオードＬＤ２が配置されており、ケース３０の裏面には、発光ダイオードＬＤ２が配置された一端部に近い側から、オン／オフ操作用の操作凸部３２ａ、調光操作用の操作凸部３２ｂ，３２ｃ、調光レベルの登録／再生用の操作凸部３２ｄ、タイマ制御用の操作凸部３２ｅを順番に配置してある。ここで、ケース３０を手で把持する際には発光ダイオードＬＤ２が配置された長手方向一端部を前方（身体と反対側）に向けて手で把持するのであるが、長手方向一端部に近い側にオン／オフ操作用の操作凸部３２ｄを配置しているので、利き手が左右何れの場合でも操作頻度の比較的高いオン／オフ操作用の操作凸部３２ｄがケース３０を把持する手の親指の位置に近くなり、ケース３０を把持する手でオン／オフ操作用の操作凸部３２ｄを操作しやすいという利点がある。尚、本実施形態では長手方向の一端部から、オン／オフ操作用の操作凸部３２ａ、調光操作用の操作凸部３２ｂ，３２ｃ、調光レベルの登録／再生用の操作凸部３２ｄ、タイマ制御用の操作凸部３２ｅを順番に配置してあるが、オン／オフ操作用の操作凸部３２ａを長手方向の一端部に最も近付けて配置すれば、他の操作凸部３２ｂ〜３２ｅの配置は上記以外の順番で配置しても良く、例えば長手方向の一端部から、オン／オフ操作用の操作凸部３２ａ、調光レベルの登録／再生用の操作凸部３２ｄ、調光操作用の操作凸部３２ｂ，３２ｃ、タイマ制御用の操作凸部３２ｅの順番で配置しても良い。
【００６６】
またワイヤレスリモコン３のケース３０には、前面の一部又は略全体に蓄光材料を印刷することで発光表示部３８ａを形成するとともに、背面の一部に蓄光材料を印刷することで発光表示部３８ｂを形成してあり、これらの発光表示部３８ａ，３８ｂが暗所で発光することで、何れの面を上にして置かれた場合でもワイヤレスリモコン３の位置を容易に見つけることができる。また、ケース３０の裏面に設けた操作凸部３２ａ〜３２ｅには、操作内容を示す文字や記号が蓄光材料で印刷されているので、暗所でこれらの文字や記号が発光することにより、操作部位を容易に判別できる。
【００６７】
尚、ワイヤレスリモコン３からワイヤレス信号で送信される制御信号には、切替スイッチＳＷ１６で切替設定されたチャンネルのデータが含まれており、制御回路部４０では、切替スイッチＳＷ２によって設定された自己のチャンネルと、ワイヤレス信号で送信された制御信号に含まれるチャンネルとが一致する場合のみ、ワイヤレスリモコン３からの制御信号を受け付けるようにしている。
【００６８】
（実施形態２）
本発明の実施形態２を図６に基づいて説明する。本実施形態では、上述の実施形態１において、ワイヤレスリモコン３のケース３０における受光カバー２４側の側面に、受光カバー２４側へ突出する突起３９を設けてある。またスイッチ本体１に、突起３９の有無を検知することによって、ワイヤレスリモコン３が装着されているか否かを検知するリモコン装着検知スイッチＳＷ４を設けている。尚、突起３９およびリモコン装着検知スイッチＳＷ４以外の構成は実施形態１と同様であるので、共通する構成要素には同一の符号を付して、その説明は省略する。
【００６９】
リモコン装着検知スイッチＳＷ４はモーメンタリ形のスイッチからなり、ワイヤレスリモコン３がピアノハンドル２に装着されると、ワイヤレスリモコン３の突起３９でリモコン装着検知スイッチＳＷ４の操作子（図示せず）が押されて、リモコン装着検知スイッチＳＷ４はオンになる。一方、ワイヤレスリモコン３がピアノハンドル２から外されると、リモコン装着検知スイッチＳＷ４がオフになる。
【００７０】
制御回路部４０では、リモコン装着検知スイッチＳＷ４からのスイッチ入力を常時監視しており、リモコン装着検知スイッチＳＷ４がオンの場合、つまりワイヤレスリモコン３の取付状態を検知している場合は、ピアノハンドル２が押操作されて押釦スイッチＳＷ１から操作信号が入力されると、ランプＬの点灯／消灯を反転させて全点灯させるか又は消灯させている。一方、リモコン装着検知スイッチＳＷ４がオフの場合、つまりワイヤレスリモコン３の取り外し状態を検知している場合、制御回路部４０は、ピアノハンドル２が押操作されて押釦スイッチＳＷ１から操作信号が入力されると、ランプＬの点灯／消灯を反転させて、調光信号で調整された調光レベルで点灯させるか又は消灯させている。
【００７１】
ここで、就寝前やテレビ鑑賞の場面ではランプＬを調光レベルで点灯又は消灯させ、それ以外の場面ではランプＬを全点灯又は消灯させることが望ましいが、本実施形態では就寝前やテレビの鑑賞中ではないと予想される場合、すなわちワイヤレスリモコン３の取付状態を検知している場合、ピアノハンドル２を介して押釦スイッチＳＷ１の押釦を押操作すると、制御回路部４０がランプＬを全点灯又は消灯させている。一方、就寝前やテレビの鑑賞中と予想される場合、すなわちワイヤレスリモコン３の取り外し状態を検知している場合、ピアノハンドル２を介して押釦スイッチＳＷ１の押釦を押操作すると、制御回路部４０はランプＬを調光点灯又は消灯させている。このように、ワイヤレスリモコン３が外されているか否かで、オン操作時にランプＬを全点灯させるか調光点灯させるかを切り替えているので、使い勝手を向上させることができる。
【００７２】
（実施形態３）
本発明の実施形態３を図７に基づいて説明する。本実施形態では、上述の実施形態１において、ピアノハンドル２を所定時間内（例えば２秒間）に複数回押操作することで、制御回路部４０に押釦スイッチＳＷ１の操作信号が所定時間内に複数回入力されると、制御回路部４０が、前回調光信号で調整された調光レベルでランプＬを調光点灯させている。尚、制御回路部４０の制御動作以外は実施形態１と同様であるので、共通する構成要素には同一の符号を付して、その説明は省略する。
【００７３】
上述のように制御回路部４０は、押釦スイッチＳＷ１からの操作入力を常時監視しており、ピアノハンドル２を１回押操作して、押釦スイッチＳＷ１から操作信号が与えられる毎に、ランプＬの点灯／消灯を反転させて、ランプＬを全点灯させるか又は消灯させているが、押釦スイッチＳＷ１からの操作信号が所定時間内（例えば２秒間）に複数回入力されると、前回調光信号で調整された調光レベルでランプＬを調光点灯させている。
【００７４】
ここで、本実施形態の動作を図７に基づいて説明する。ランプＬが全点灯している時刻ｔ３１においてピアノハンドル２が押操作されて、押釦スイッチＳＷ１の操作信号が制御回路部４０に入力されると、押釦スイッチＳＷ１の操作信号が停止した時刻ｔ３２において制御回路部４０はランプＬを消灯させる。その後、時刻ｔ３２から所定時間ＤＴが経過するまでの間にピアノハンドル２が再度押操作されて、押釦スイッチＳＷ１の操作信号が制御回路部４０に入力されると（時刻ｔ３３）、制御回路部４０では所定時間ＤＴ内に操作信号が複数回入力されたと判断し、前回調整された調光レベルＡ１でランプＬを調光点灯させる。このように、ピアノハンドル２を所定時間ＤＴ内に複数回押操作することで、ワイヤレスリモコン３を用いて前回調整された調光レベルでランプＬを調光点灯させることができるので、スイッチ本体１とワイヤレスリモコン３の両方でランプＬを調光点灯させることができ、ワイヤレスリモコン３が見当たらない場合でもスイッチ本体１側でランプＬを調光点灯させることができる。
【００７５】
また、ランプＬが調光点灯中の時刻ｔ３４において、ピアノハンドル２が押操作されて、押釦スイッチＳＷ１の操作信号が制御回路部４０に入力されると、押釦スイッチＳＷ１の操作信号が停止した時刻ｔ３５において制御回路部４０はランプＬを消灯させる。さらに、時刻ｔ３５から所定時間ＤＴが経過するまでの間にピアノハンドル２が再度押操作されて、押釦スイッチＳＷ１の操作信号が制御回路部４０に入力されると（時刻ｔ３６）、制御回路部４０では所定時間ＤＴ内に操作信号が複数回入力されたと判断し、ランプＬを全点灯させる。
【００７６】
（実施形態４）
本発明の実施形態４を図面を参照して説明する。本実施形態では、図８に示すように実施形態１〜３の何れかの調光機能付スイッチにおいて、スイッチ本体１の前面に調光釦１７ａ，１７ｂを設け、スイッチ本体１側でも調光操作を行えるようにしている。なお、調光釦１７ａ，１７ｂ以外の構成は実施形態１〜３と同様であるので共通する構成要素には、同一の符号を付してその説明は省略する。
【００７７】
スイッチ本体１の前面には、調光レベルを明るくするための調光釦１７ａと、調光レベルを暗くするための調光釦１７ｂとが上下両側に配置されており、スイッチ本体１の内部には調光釦１７ａ，１７ｂの押操作に応じてオン／オフされるスイッチ（図示せず）が収納されている。またスイッチ本体１の前面に取り付けられるピアノハンドル２には、調光釦１７ａ，１７ｂにそれぞれ対向する部位に窓孔２３ａ，２３ｂが貫設されており、これらの窓孔２３ａ，２３ｂを通して調光釦１７ａ，１７ｂを押操作することができる。なお、調光釦１７ａ，１７ｂはピアノハンドル２の取付部２３の表面よりも約１ｍｍ程度凹んでいる。
【００７８】
而して、ワイヤレスリモコン３が取り外されている状態で、ランプＬの点灯時においてスイッチ本体１の調光釦１７ａ又は１７ｂを押操作すると、調光釦１７ａ，１７ｂの押操作に応じて対応するスイッチの操作信号が制御回路部４０に与えられ、制御回路部４０では、この操作信号に基づいてスイッチ素子Ｑ１の導通角を変化させることで、ランプＬの調光レベルを増加または減少させる。このようにスイッチ本体１側でも調光操作が可能になるので、スイッチ本体１とワイヤレスリモコン３の両方で調光操作を行うことができる。したがって、ワイヤレスリモコン３が見当たらない場合でも、スイッチ本体１側で調光操作を行うことができる。
【００７９】
なお、本実施形態ではスイッチ本体１に調光釦１７ａ，１７ｂを設けることで、スイッチ本体１側でも調光操作を行えるようにしているが、調光釦１７ａ，１７ｂを設ける代わりに、ピアノハンドル２を長押しすると、ピアノハンドル２を押操作している間、ランプＬの調光レベルを上限値と下限値の間で繰り返し増減させ、ピアノハンドル２を離すと、その時の調光レベルでランプＬが点灯するようにしても良い。
【００８０】
すなわち、図９に示すように、ランプＬが消灯中の時刻ｔ２１において、ピアノハンドル２（すなわち押釦スイッチＳＷ１の押釦）を押操作すると、押釦スイッチＳＷ１からの操作入力に応じて制御回路部４０が駆動回路４２の動作を制御し、ランプＬを全点灯させる。そして、ピアノハンドル２が時刻ｔ２１から所定の連続押し時間（例えば１秒）以上連続して押し続けられると、制御回路部４０に押釦スイッチＳＷ１からの操作入力が連続して与えられ、制御回路部４０では、時刻ｔ２１から上記連続押し時間が経過した時刻ｔ２２よりランプＬの調光レベルを上限値（１００％）と下限値（例えば１０％）との間で繰り返し増減させる。なお制御回路部４０は、ランプＬの調光レベルが上限値または下限値に達すると、例えば１秒間その調光レベルを維持した後、調光レベルを逆向きに変化させており、時刻ｔ２４においてピアノハンドル２を離して押釦スイッチＳＷ１をオフすると、この時の調光レベルでランプＬを点灯させる。その後、調光点灯中の時刻ｔ２５において、ピアノハンドル２を押操作すると、押釦スイッチＳＷ１からの操作入力が制御回路部４０に与えられるのであるが、ピアノハンドル２が押し続けられ、押釦スイッチＳＷ１からの操作信号が入力され続けている場合、制御回路部４０はランプＬを消灯させず、押釦スイッチＳＷ１からの操作入力を監視する。そして、ピアノハンドル２が時刻ｔ２５から上記連続押し時間以上連続して押し続けられると、制御回路部４０では、上記連続押し時間が経過した時点よりランプＬの調光レベルを上限値（１００％）と下限値（例えば１０％）との間で繰り返し増減させ、ピアノハンドル２を離した時の調光レベルで点灯させる。なお、時刻ｔ２３，ｔ２６においてピアノハンドル２を離してから例えば１秒以内に再び押操作すると、制御回路部４０はピアノハンドル２を離す前と同じ方向に調光レベルを変化させており、調光レベルの微調整が行えるようになっている。
【００８１】
（実施形態５）
本発明の実施形態５を図１０に基づいて説明する。本実施形態では、実施形態１においてスイッチ本体１の前面に調光レベルの最小値を設定するための下限設定スイッチＳＷ３の操作子６２を配置している。尚、下限値設定スイッチ以外の構成は実施形態１と同様であるので、共通する構成要素には同一の符号を付して、その説明は省略する。
【００８２】
下限設定スイッチＳＷ３は２ポジションタイプのスライドスイッチからなり、操作子６２を右端にスライドさせると、この時の調光レベルを調光範囲の最小値として、最小値よりも大きい範囲で調光レベルを変化させるようにしている。
【００８３】
而して、下限設定スイッチＳＷ３を用いて調光レベルの下限値が設定可能なので、調光レベルが暗くなりすぎて困るような使用場所（例えばカラオケボックスや喫茶室や高齢化住宅など）では、設定された下限値よりも暗くできなくなって、安全に使用することができる。ここで、下限設定スイッチＳＷ３は通常ピアノハンドル２によって隠されているので、下限値が悪戯などで変更されるのを防止できる。尚、現在の調光レベルが０％の時（すなわちランプＬが消灯中）に下限設定スイッチＳＷ３の操作子６２が右側に切り替えられた場合は、前回設定された下限値をそのまま使用する。
【００８４】
また下限設定スイッチＳＷ３を左端にスライドさせると、調光レベルの最小値が０％に設定され、０％〜１００％の任意の範囲で調光レベルを設定することが可能になる。
【００８５】
尚、本実施形態の構成を上述の他の実施形態に適用しても良いことは言うまでもない。
【００８６】
（実施形態６）
本発明の実施形態６を図１１および図１２に基づいて説明する。本実施形態では、上述の実施形態１〜５において、外部設定器７０からワイヤレス信号を用いて送信された設定信号により、スイッチ本体１の動作設定を行えるようにしている。なお、スイッチ本体１の動作設定を行う点以外は実施形態１〜５と同様であるので、共通する構成要素には同一の符号を付して、その説明は省略する。
【００８７】
外部設定器７０は図１２（ｂ）に示すような回路を有しており、送信スイッチ７２と、各種の設定を行う設定スイッチＳＷ２１〜ＳＷ２４の入力を監視する入力部７３と、赤外線のような光信号からなるワイヤレス信号を送信する発光ダイオードＬＤ３と、マイクロコンピュータからなり入力部７３を介して入力される設定内容に基づいて駆動信号を作成する制御回路部７１と、制御回路部７１などの動作電源を供給する電池Ｂ２と、電池Ｂ２と並列に抵抗Ｒ２および発光ダイオードＬＤ３の直列回路を介して接続されたスイッチ素子Ｑ３を有し、駆動信号に応じてスイッチ素子Ｑ３をオン／オフし、発光ダイオードＬＤ３への通電を制御することでワイヤレス信号を送信させる信号送信部７４とを備える。
【００８８】
ここで、入力部７３は、調光レベルの最大値（初期値は１００％）を設定する設定スイッチＳＷ２１、調光レベルの最小値（初期値は１％）を設定する設定スイッチＳＷ２２、フェード時間を０秒、３秒、５秒、１０秒の内の何れか（初期値は３秒）に切替設定する設定スイッチＳＷ２３、スイッチ本体１側のオン操作で全点灯させるか或いは調光点灯させるかを設定する設定スイッチＳＷ２４からの入力信号を監視する。
【００８９】
また図１１は外部設定器７０の外観斜視図であり、扁平な直方体状であって手で把持可能な大きさに形成された外殻７５の内部に、上述した図９（ｂ）の回路を形成した回路基板（図示せず）を収納してある。そして、外殻７５の長手方向における一端部には赤外光を透過する透過部７６が設けられ、この透過部７６の内側に発光ダイオードＬＤ３を収納してある。また、外殻７５の主平面には、長手方向の一端部から各設定スイッチＳＷ２１〜ＳＷ２４のスライド摘み７３ａ〜７３ｄと、送信スイッチ７２の操作釦（送信釦）７２ａとが順番に配置してある。
【００９０】
一方、スイッチ本体１には動作条件を記憶するＥＥＰＲＯＭ４５が設けられており、外部設定器７０から送信された設定信号を受光素子４１が受信すると、制御回路部４０は受信した設定信号をＥＥＰＲＯＭ４５に記憶させる。以後、制御回路部４０はＥＥＰＲＯＭ４５に記憶させた設定内容に応じたスイッチ動作を行うのである。なお、記憶手段としてＥＥＰＲＯＭ４５を用いているが、記憶手段をＥＥＰＲＯＭに限定する趣旨のものではなく、不揮発性のメモリであればどのようなメモリを使用しても良い。
【００９１】
而して、外部設定器７０を用いて動作設定を行う際には、先ず各設定スイッチＳＷ２１〜ＳＷ２４のスライド摘み７３ａ〜７３ｄを操作して、調光レベルの最大値および最小値と、フェード時間と、スイッチ本体１でオン操作を行った時の動作（全点灯または調光点灯）とを設定した後、送信釦７２ａを押操作すると、制御回路部７１が入力部７３を介して各設定スイッチＳＷ２１〜ＳＷ２４の設定内容を読み込んで、その設定内容に応じた設定信号を作成して、信号送信部７４に出力する。信号送信部７４は、入力された設定信号に応じてスイッチ素子Ｑ３をオン／オフさせて、発光ダイオードＬＤ３を点滅させ、発光ダイオードＬＤ３からワイヤレス信号で設定信号を送信させる。この時、スイッチ本体１では、受光素子４１が外部設定器７０から送信された設定信号を受信し、制御回路部４０が受光素子４１の受信した設定信号から設定内容を読み取り、その設定内容をＥＥＰＲＯＭ４５に記憶させる。そして、これ以後の通常使用状態には、制御回路部４０がＥＥＰＲＯＭ４５から動作条件の設定内容を読み取り、設定内容にしたがって制御動作を行っているので、ユーザが希望するスイッチ動作を行わせることが可能になる。また、同じ種類のスイッチ本体１を用い、外部設定器７０によりスイッチ動作に関わる動作設定を行うことで、スイッチ動作の異なる複数種類のスイッチ本体１を用意する必要が無く、設計費などの削減を図ることができる。なお、通常使用する場合には上述のような複雑な設定項目をユーザ自身が知っておく必要はないので、スイッチ本体１の動作設定は施工者が行えば良い。
【００９２】
（実施形態７）
本発明の実施形態７を図１３および図１４に基づいて説明する。本実施形態では、上述の実施形態１において、ピアノハンドル２から取り外されると検知信号を発生する取外し検知スイッチＳＷ１７と、報知音を発生するブザーＢｚと、ブザーＢｚを鳴動させる増幅回路５３とをワイヤレスリモコン３に設けている。尚、取外し検知スイッチＳＷ１７、ブザーＢｚ、および増幅回路５３以外の構成は実施形態１と同様であるので、共通する構成要素には同一の符号を付して、その説明は省略する。
【００９３】
取外し検知スイッチＳＷ１７は例えばモーメンタリ形のスイッチからなり、ケース３０における取付部２３との対向面に配設されている。また、ピアノハンドル２の取付部２３には、取外し検知スイッチＳＷ１７の操作子（図示せず）に対向する部位に、前方（ワイヤレスリモコン３側）へ突出する突起２３ｃが突設されている。而して、ワイヤレスリモコン３をピアノハンドル２に取り付けると、取外し検知スイッチＳＷ１７の操作子が突起２３ｃに押されて取外し検知スイッチＳＷ１７がオンになり、ワイヤレスリモコン３をピアノハンドル２から取り外すと、取外し検知スイッチＳＷ１７がオフになる（つまり検知信号を出力する）。
【００９４】
制御回路部５０は、取外し検知スイッチＳＷ１７からの入力信号を常時監視しており、取外し検知スイッチＳＷ１７から検知信号が入力されると（つまり取外し検知スイッチＳＷ１７がオフになると）、内蔵するタイマ（図示せず）の計時動作を開始させ、計時時間が所定の検知時間以上になると、報知音発生信号を増幅回路５３に出力する。そして、増幅回路５３は、制御回路部５０から報知音発生信号が入力されるとブザーＢｚを鳴動させる。その後、ワイヤレスリモコン３がピアノハンドル２に取り付けられて、検知信号の入力が停止すると（つまり取外し検知スイッチＳＷ１７がオンになると）、タイマの計時時間をリセットするとともに、報知音発生信号の出力を停止して、ブザーＢｚの鳴動を停止させる。
【００９５】
而して、ワイヤレスリモコン３を外してから所定の検知時間が経過すると、ワイヤレスリモコン３に設けたブザーＢｚが鳴動して、ワイヤレスリモコン３の位置を知らせるので、ワイヤレスリモコン３の置き場所を忘れた場合でも報知音をたよりにワイヤレスリモコン３の場所を探しやすいという利点がある。なお、本実施形態ではワイヤレスリモコン３にブザーＢｚのような音出力手段を設けて、ワイヤレスリモコン３が長時間外されると音出力手段により報知音を発生させているが、音出力手段の代わりに発光ダイオードのような発光手段を設け、ワイヤレスリモコン３が長時間外されると、発光手段を点灯させたり点滅させることで、ワイヤレスリモコン３の位置を知らせるようにしても良い。また、ワイヤレスリモコン３に音出力手段と発光手段とを設け、音と光の両方でワイヤレスリモコン３の位置を知らせても良い。
【００９６】
尚、上述の他の実施形態２〜６においても本実施形態の構成を付加して、ワイヤレスリモコン３が長時間外されると、ワイヤレスリモコン３の報知手段から音や光を出力させるようにしても良い。
【００９７】
（実施形態８）
本発明の実施形態８を図１５に基づいて説明する。本実施形態では、上述の実施形態１において、電波信号のようなワイヤレス信号で報知音発生信号を送信する電波発信回路４６をスイッチ本体１に設けるとともに、電波信号のようなワイヤレス信号で送信された報知音発生信号を受信する電波受信回路５４と、報知音を発生するブザーＢｚと、ブザーＢｚを鳴動させる増幅回路５３とをワイヤレスリモコン３に設け、電波受信回路５４が報知音発生信号を受信すると制御回路部５０が増幅回路５３に報知音発生信号を出力して、ブザーＢｚを鳴動させている。尚、電波発信回路４６、ブザーＢｚ、増幅回路５３、および電波受信回路５４以外の構成は実施形態１と同様であるので、共通する構成要素には同一の符号を付して、その説明は省略する。
【００９８】
スイッチ本体１の制御回路部４０は、押釦スイッチＳＷ１の操作入力を常時監視しており、ピアノハンドル２が押されて押釦スイッチＳＷ１がオンすると、内蔵するタイマ（図示せず）の計時動作を開始させる。そして、タイマの計時時間が所定の操作時間（例えば２秒）以上になると、つまりピアノハンドルが所定の操作時間以上押し続けられると、制御回路部４０は制御信号を電波発信回路４６に出力して、電波発信回路４６から報知音発生信号をワイヤレス信号により発信させる。この時、ワイヤレスリモコン３では電波受信回路５４がワイヤレス信号で送信された報知音発生信号を受信し、この報知音発生信号を受けて制御回路部５０が制御信号を増幅回路５３に出力して、増幅回路５３によりブザーＢｚを鳴動させる。
【００９９】
而して、ワイヤレスリモコン３をピアノハンドル２から外して使用した後に、ワイヤレスリモコン３の位置が判らなくなった場合などに、使用者がピアノハンドル２を所定の操作時間以上長押しすると、スイッチ本体１から報知音発生信号がワイヤレス信号で送信され、ワイヤレスリモコン３では、ワイヤレス信号で送信された報知音発生信号を受信するとブザーＢｚを鳴動させて、位置を知らせるので、ブザーＢｚの報知音をたよりにワイヤレスリモコン３の場所を探しやすいという利点がある。ここで、制御回路部５０ではブザーＢｚを一定時間（例えば３０秒）だけ鳴動させるので、ブザーＢｚが鳴りっぱなしになることはない。なお、本実施形態ではワイヤレスリモコン３にブザーＢｚのような音出力手段を設けて、ピアノハンドル２を長押しするとワイヤレスリモコン３の音出力手段から報知音を発生させているが、音出力手段の代わりに発光ダイオードのような発光手段を設け、この発光手段を点灯させたり点滅させることで、ワイヤレスリモコン３の位置を知らせるようにしても良い。また、ワイヤレスリモコン３に音出力手段と発光手段とを設け、音と光の両方でワイヤレスリモコン３の位置を知らせても良い。
【０１００】
尚、上述の他の実施形態２〜６においても本実施形態の構成を付加して、リモコン本体１からの報知命令に応じて、ワイヤレスリモコン３の報知手段から音や光を出力させるようにしても良い。
【０１０１】
（実施形態９）
本発明の実施形態９を図１６に基づいて説明する。本実施形態では、上述の実施形態１において、スイッチ本体１に電力伝達用の１次コイルＬ１、および、１次コイルＬ１を励磁するインバータ回路４７を具備した電力供給部４８を設けるとともに、ワイヤレスリモコン３に、制御回路部５０などに動作電源を供給する二次電池Ｂ３と、ケース３０をピアノハンドル２に取り付けた状態で１次コイルＬ１に磁気結合される２次コイルＬ２と、２次コイルＬ２の両端間に発生する交流電圧を整流して得た直流電圧により二次電池Ｂ３を充電する充電回路５５とを設けてある。尚、インバータ回路４７、１次コイルＬ１、２次コイルＬ２、充電回路５５、および二次電池Ｂ３以外は実施形態１と同様であるので、共通する構成要素には同一の符号を付して、その説明は省略する。
【０１０２】
本実施形態では、ワイヤレスリモコン３のケース３０をピアノハンドル２の取付部２３に取り付けておけば、スイッチ本体１の備える１次コイルＬ１と、ワイヤレスリモコン３の備える２次コイルＬ２とが磁気結合されて、電力供給部４８から１次コイルＬ１および２次コイルＬ２を介して充電回路５５に電力が供給され、充電回路５５によって二次電池Ｂ３が充電されるので、ワイヤレスリモコン３の電源に一次電池を用いる場合のようにワイヤレスリモコン３の電池を交換する必要が無い。またワイヤレスリモコン３をピアノハンドル２に戻すと充電が行われるので、充電器を別途用意する必要が無く、またワイヤレスリモコン３を充電器に取り付ける手間も不要なので、使い勝手が良い。
【０１０３】
尚、上述の他の実施形態２〜８において本実施形態の構成を付加し、ワイヤレスリモコン３をピアノハンドル２に装着した際に、リモコン本体１から電源供給を受けてワイヤレスリモコン３の二次電池Ｂ３を充電するようにしても良い。
【０１０４】
また、本実施形態では調光操作に関わるスイッチＳＷ１２，ＳＷ１３，ＳＷ１４をワイヤレスリモコン３に設けており、ワイヤレスリモコン３を用いて調光レベルの調整など調光に関わる操作が可能であるが、図１７（ａ）（ｂ）に示すように、調光操作のためのスイッチＳＷ１２，ＳＷ１３，ＳＷ１４を備えておらず、スイッチＳＷ１２，ＳＷ１３のための操作凸部３２ｂ，３２ｃが無いワイヤレスリモコン３においても、制御回路部５０などに動作電源を供給する二次電池Ｂ３と、ケース３０をピアノハンドル２に取り付けた状態で１次コイルＬ１に磁気結合される２次コイルＬ２と、２次コイルＬ２の両端間に発生する交流電圧を整流して得た直流電圧により二次電池Ｂ３を充電する充電回路５５とを設ければ、電池交換の必要が無くなり、またワイヤレスリモコン３をピアノハンドル２に戻せば充電が行われるので、充電器を別途用意する必要が無く、ワイヤレスリモコン３を充電器に取り付ける手間も不要なので、使い勝手が良いという作用効果が得られる。
【０１０５】
なお、本発明の精神と範囲に反することなしに、広範に異なる実施形態を構成することができることは明白なので、この発明は、特定の実施形態に制約されるものではない。
【図面の簡単な説明】
【０１０６】
【図１】実施形態１の調光機能付スイッチを示し、（ａ）は正面図、（ｂ）はワイヤレスリモコンの背面図である。
【図２】同上の分解斜視図である。
【図３】同上のピアノハンドルとプレートを外した状態の正面図である。
【図４】（ａ）はスイッチ本体の回路ブロック図、（ｂ）はワイヤレスリモコンの回路ブロック図である。
【図５】同上の動作説明図である。
【図６】実施形態２の調光機能付スイッチを示し、ワイヤレスリモコンを外した状態の説明図である。
【図７】実施形態３の調光機能付スイッチの動作説明図である。
【図８】実施形態４の調光機能付スイッチを示し、（ａ）はワイヤレスリモコンを外した状態の正面図、（ｂ）はピアノハンドルを外した状態の正面図、（ｃ）はピアノハンドルの正面図である。
【図９】同上の他の調光機能付スイッチの動作説明図である。
【図１０】実施形態５の調光機能付スイッチを示し、ピアノハンドルを外した状態の正面図である。
【図１１】実施形態６の調光機能付スイッチを示し、（ａ）はスイッチ本体の回路ブロック図、（ｂ）は外部設定器の回路ブロック図である。
【図１２】同上に用いる外部設定器の外観斜視図である。
【図１３】実施形態７の調光機能付スイッチを示し、ワイヤレスリモコンを外した状態の正面図である。
【図１４】（ａ）はスイッチ本体の回路ブロック図、（ｂ）はワイヤレスリモコンの回路ブロック図である。
【図１５】実施形態８の調光機能付スイッチを示し、（ａ）はスイッチ本体の回路ブロック図、（ｂ）はワイヤレスリモコンの回路ブロック図である。
【図１６】実施形態９の調光機能付スイッチを示し、（ａ）はスイッチ本体の回路ブロック図、（ｂ）はワイヤレスリモコンの回路ブロック図である。
【図１７】同上に用いるワイヤレスリモコンの他の構成を示し、（ａ）は背面図、（ｂ）は回路ブロック図である。
【図１８】従来の調光機能付スイッチの説明図である。
【符号の説明】
【０１０７】
１    スイッチ本体
２    ピアノハンドル
２４  受光カバー
３    ワイヤレスリモコン
３２ａ〜３２ｅ  操作凸部
【図１】
2006179350.tif 000003
【図２】
2006179350.tif 000004
【図３】
2006179350.tif 000005
【図４】
2006179350.tif 000006
【図５】
2006179350.tif 000007
【図６】
2006179350.tif 000008
【図７】
2006179350.tif 000009
【図８】
2006179350.tif 000010
【図９】
2006179350.tif 000011
【図１０】
2006179350.tif 000012
【図１１】
2006179350.tif 000013
【図１２】
2006179350.tif 000014
【図１３】
2006179350.tif 000015
【図１４】
2006179350.tif 000016
【図１５】
2006179350.tif 000017
【図１６】
2006179350.tif 000018
【図１７】
2006179350.tif 000019
【図１８】
2006179350.tif 000020